(57)【特許請求の範囲】
【請求項１】
電池の電力により駆動すると共に、周囲に検出対象となるガスが存在する場合にその濃度に応じた信号を出力するガスセンサと、前記ガスセンサからの信号に基づいて所定濃度以上のガスが検知されるとガス漏れと判断するガス漏れ判断部と、前記ガス漏れ判断部によりガス漏れと判断された場合に、警報出力して異常状態を報知する警報部とを備えた電池式ガス警報器であって、
電池状態を表示可能な液晶ディスプレイと、
前記液晶ディスプレイの表示を制御する制御部と、を備え、
前記液晶ディスプレイは、液晶背面に反射板を有して外部光により視認可能とさせる反射型タイプのものであって、前記反射板又は前記液晶と前記反射板との間に介在した介在部材に電池切れである旨を示す電池切れ表示が印刷されており、
前記制御部は、
前記電池の電圧が所定電圧以上である場合に前記液晶ディスプレイの一部に黒いベタ表示をさせて前記電池切れ表示の一部を隠すと共に一部を隠した状態において隠されなかった前記電池切れ表示の形状部分を利用して前記電池の電圧が所定電圧以上であることを示す電池正常表示とし、
前記電池の電圧が前記所定電圧以下の特定電圧未満である場合、前記黒いベタ表示を行うことなく前記電池切れ表示を行う
ことを特徴とする電池式ガス警報器。
【請求項２】
前記特定電圧は、前記所定電圧未満の電圧であって、
前記制御部は、前記電池の電圧が特定電圧以上所定電圧未満である場合、前記黒いベタ表示を間欠的に行って、前記電池正常表示と前記電池切れ表示とを交互に表示させる
ことを特徴とする請求項１に記載の電池式ガス警報器。
【請求項３】
電池の電力により駆動すると共に、周囲に検出対象となるガスが存在する場合にその濃度に応じた信号を出力するガスセンサと、前記ガスセンサからの信号に基づいて所定濃度以上のガスが検知されるとガス漏れと判断するガス漏れ判断部と、前記ガス漏れ判断部によりガス漏れと判断された場合に、警報出力して異常状態を報知する警報部とを備えた電池式ガス警報器であって、
電池状態を表示可能な液晶ディスプレイと、
前記液晶ディスプレイの表示を制御する制御部と、を備え、
前記液晶ディスプレイは、液晶背面に反射板を有して外部光により視認可能とさせる反射型タイプのものであって、前記反射板又は前記液晶と前記反射板との間に介在した介在部材に電池切れである旨を示す電池切れ表示が印刷されており、
前記制御部は、
前記電池の電圧が所定電圧以上である場合に前記液晶ディスプレイの一部に黒いベタ表示をさせて前記電池切れ表示の少なくとも一部を隠すと共に隠した状態において前記電池の電圧が所定電圧以上であることを示す電池正常表示とし、
前記電池の電圧が前記所定電圧以下の特定電圧未満である場合、前記黒いベタ表示を行うことなく前記電池切れ表示を行い、
前記電池切れ表示は、前記電池を示す電池マークの外郭内に電池電圧の低下を示す低下マークを有し、前記電池正常表示は、前記黒いベタ表示により前記低下マークが隠されることで前記電池の電圧が所定電圧以上であることを示す
ことを特徴とする電池式ガス警報器。
【発明の詳細な説明】
【技術分野】
【０００１】
本発明は、電池式ガス警報器に関する。
【背景技術】
【０００２】
従来、液晶ディスプレイにより表示を行うガスメータが提案されている。このガスメータは、電池により駆動すると共に、液晶ディスプレイにより積算流量値やガス止めなどの警告表示などを行うようになっている（例えば特許文献１参照）。
【０００３】
ここで、特許文献１に記載のように電池により駆動するガス機器としては、電池式ガス警報器が存在する。このような電池式ガス警報器は、電池電圧が低下するとＬＥＤ（Light Emitting Diode）の点滅やブザー音により使用者に電池切れの旨を所定期間報知している。
【０００４】
しかし、電池式ガス警報器において、所定期間中に使用者が不在であった場合など、電池切れにより報知機能が停止してしまう場合がある。このような場合、使用者は電池切れであることに気付かず、そのまま警報器を使用してしまう可能性があった。
【０００５】
そこで、液晶ディスプレイを用いて電池電圧の低下を報知する電池式ガス警報器が提案されている（特許文献２参照）。このガス警報器では、反射型の液晶ディスプレイを用い、液晶ディスプレイの反射板等に電池切れの文字を印刷しているため、電池切れ時には、印刷が視認可能となり、電池切れの警報器が使用され続けてしまうことを防止することができる。
【先行技術文献】
【特許文献】
【０００６】
【特許文献１】特開２００６−２８４４０１号公報
【特許文献２】特開２０１２−１０３９４９号公報
【発明の概要】
【発明が解決しようとする課題】
【０００７】
しかし、特許文献２に記載の電池式ガス警報器では、電池電圧が低下していない場合に使用者に対して電池電圧が低下していない旨を伝えないため、電池電圧低下時には液晶ディスプレイに突然電池電圧低下の旨が表示されてしまうこととなる。またこの表示を電池残量に余裕がある状態で行うと電池寿命を短く設計する必要が生じコストアップにつながり、反対に電池残量に余裕が無い状態で行うと使用者が気付く前に警報機能が停止してしまう可能性があった。なお、上記問題は電池式のガス警報器に限らず、電池式であれば火災警報器など、他の種類の警報器であっても共通するものである。
【０００８】
本発明はこのような従来の課題を解決するためになされたものであり、その発明の目的とするところは、電池電圧の低下又は電池切れである旨を使用者に正確に伝えて、電池切れの警報器が使用され続けてしまう可能性を低減することが可能な電池式ガス警報器を提供することにある。
【課題を解決するための手段】
【０００９】
本発明の電池式ガス警報器は、電池の電力により駆動すると共に、周囲に検出対象となるガスが存在する場合にその濃度に応じた信号を出力するガスセンサと、前記ガスセンサからの信号に基づいて所定濃度以上のガスが検知されるとガス漏れと判断するガス漏れ判断部と、前記ガス漏れ判断部によりガス漏れと判断された場合に、警報出力して異常状態を報知する警報部とを備えた電池式ガス警報器であって、電池状態を表示可能な液晶ディスプレイと、前記液晶ディスプレイの表示を制御する制御部と、を備え、前記液晶ディスプレイは、液晶背面に反射板を有して外部光により視認可能とさせる反射型タイプのものであって、前記反射板又は前記液晶と前記反射板との間に介在した介在部材に電池切れである旨を示す電池切れ表示が印刷されており、前記制御部は、前記電池の電圧が所定電圧以上である場合に前記液晶ディスプレイの一部に黒いベタ表示をさせて前記電池切れ表示の一部を隠すと共に一部を隠した状態において隠されなかった前記電池切れ表示の形状部分を利用して前記電池の電圧が所定電圧以上であることを示す電池正常表示とし、前記電池の電圧が前記所定電圧以下の特定電圧未満である場合、前記黒いベタ表示を行うことなく前記電池切れ表示を行うことを特徴とする。
【００１０】
この電池式ガス警報器によれば、液晶ディスプレイの反射板又は介在部材に電池切れである旨を示す電池切れ表示が印刷されており、電池の電圧が所定電圧以下の特定電圧未満である場合、黒いベタ表示を行うことなく電池切れ表示を行う。このため、電池切れの場合には、黒いベタ表示が行われることなく、電池切れ表示が視認可能となる。これにより、たとえ電池が切れたとしても、使用者には印刷が常時視認可能となり、電池切れの警報器が使用され続けてしまう可能性を低減することができる。
【００１１】
さらに、電池の電圧が所定電圧以上である場合に液晶ディスプレイの一部に黒いベタ表示をさせて電池切れ表示の少なくとも一部を隠して電池正常表示とする。よって、突然電池切れ表示のみが表れた場合には、この表示の意味を理解できない可能性が高まるが、電池正常表示についても行うため、電池切れ時等には今までの表示とは異なる表示がされることから、使用者は電池に関する異常を認識し易くなる。
【００１２】
従って、電池電圧の低下又は電池切れである旨を使用者に正確に伝えて、電池切れの警報器が使用され続けてしまう可能性を低減することができる。
【００１３】
また、本発明の電池式ガス警報器において、前記特定電圧は、前記所定電圧未満の電圧であって、前記制御部は、前記電池の電圧が特定電圧以上所定電圧未満である場合、前記黒いベタ表示を間欠的に行って、前記電池正常表示と前記電池切れ表示とを交互に表示させることが好ましい。
【００１４】
この電池式ガス警報器によれば、電池の電圧が特定電圧以上所定電圧未満である場合、黒いベタ表示を間欠的に行って、電池正常表示と電池切れ表示とを交互に表示させるため、電池切れに近づいている状態を適切に表現することができる。
【００１５】
また、本発明の電池式ガス警報器は、電池の電力により駆動すると共に、周囲に検出対象となるガスが存在する場合にその濃度に応じた信号を出力するガスセンサと、前記ガスセンサからの信号に基づいて所定濃度以上のガスが検知されるとガス漏れと判断するガス漏れ判断部と、前記ガス漏れ判断部によりガス漏れと判断された場合に、警報出力して異常状態を報知する警報部とを備えた電池式ガス警報器であって、電池状態を表示可能な液晶ディスプレイと、前記液晶ディスプレイの表示を制御する制御部と、を備え、前記液晶ディスプレイは、液晶背面に反射板を有して外部光により視認可能とさせる反射型タイプのものであって、前記反射板又は前記液晶と前記反射板との間に介在した介在部材に電池切れである旨を示す電池切れ表示が印刷されており、前記制御部は、前記電池の電圧が所定電圧以上である場合に前記液晶ディスプレイの一部に黒いベタ表示をさせて前記電池切れ表示の少なくとも一部を隠すと共に隠した状態において前記電池の電圧が所定電圧以上であることを示す電池正常表示とし、前記電池の電圧が前記所定電圧以下の特定電圧未満である場合、前記黒いベタ表示を行うことなく前記電池切れ表示を行い、前記電池切れ表示は、前記電池を示す電池マークの外郭内に電池電圧の低下を示す低下マークを有し、前記電池正常表示は、前記黒いベタ表示により前記低下マークが隠されることで前記電池の電圧が所定電圧以上であることを示すことを特徴とする。
【００１６】
本発明の電池式ガス警報器によれば、液晶ディスプレイの反射板又は介在部材に電池切れである旨を示す電池切れ表示が印刷されており、電池の電圧が所定電圧以下の特定電圧未満である場合、黒いベタ表示を行うことなく電池切れ表示を行う。このため、電池切れの場合には、黒いベタ表示が行われることなく、電池切れ表示が視認可能となる。これにより、たとえ電池が切れたとしても、使用者には印刷が常時視認可能となり、電池切れの警報器が使用され続けてしまう可能性を低減することができる。さらに、電池の電圧が所定電圧以上である場合に液晶ディスプレイの一部に黒いベタ表示をさせて電池切れ表示の少なくとも一部を隠して電池正常表示とする。よって、突然電池切れ表示のみが表れた場合には、この表示の意味を理解できない可能性が高まるが、電池正常表示についても行うため、電池切れ時等には今までの表示とは異なる表示がされることから、使用者は電池に関する異常を認識し易くなる。従って、電池電圧の低下又は電池切れである旨を使用者に正確に伝えて、電池切れの警報器が使用され続けてしまう可能性を低減することができる。加えて、電池切れ表示は、電池を示す電池マークの外郭内に電池電圧の低下を示す低下マークを有し、電池正常表示は、黒いベタ表示により低下マークが隠されることで電池の電圧が所定電圧以上であることを示す。このため、電池切れ表示と電池正常表示とは、共通する形状部分を有した表示となり、低下マークに対する黒いベタ表示の有無によって、双方の表示を切り替えることができる。
【発明の効果】
【００１７】
本発明によれば、電池電圧の低下又は電池切れである旨を使用者に正確に伝えて、電池切れの警報器が使用され続けてしまう可能性を低減することが可能な電池式ガス警報器を提供することができる。
【図面の簡単な説明】
【００１８】
【図１】本発明の実施形態に係る電池式ガス警報器を示す外観構成図である。
【図２】本発明の実施形態に係る電池式ガス警報器を示す内部構成図である。
【図３】図２に示した液晶ディスプレイを示す一部破断拡大図である。
【図４】図１に示した液晶ディスプレイの外観図であって、（ａ）は正面図を示し、（ｂ）は側面図を示している。
【図５】図２及び図３に示した液晶ディスプレイの表示例を示す正面図であり、（ａ）は電池電圧が特定電圧未満のときの表示例を示し、（ｂ）は電池電圧が所定電圧以上のときの表示例を示している。
【図６】本実施形態に係る電池式ガス警報器の制御方法を示すフローチャートである。
【発明を実施するための形態】
【００１９】
以下、本発明を好適な実施形態に沿って説明する。なお、本発明は以下に示す実施形態に限られるものではなく、本発明の趣旨を逸脱しない範囲において適宜変更可能である。また、以下に示す実施形態においては、一部構成の図示や説明を省略している箇所があるが、省略された技術の詳細については、以下に説明する内容と矛盾点が発生しない範囲内において、適宜公知又は周知の技術が適用されていることはいうまでもない。
【００２０】
さらに、以下においては電池式警報器の一例として電池式ガス警報器を示すが、本発明は特に電池式ガス警報器限らず、電池式の火災警報器など他の種類の警報器であってもよい。さらには、電池式のＣＯ警報器や火災警報器など、２以上警報器の機能を組み合わせたタイプのものであってもよい。
【００２１】
図１は、本発明の実施形態に係る電池式ガス警報器を示す外観構成図であり、図２は、本発明の実施形態に係る電池式ガス警報器を示す内部構成図である。図１及び図２に示す電池式ガス警報器１は、電池２０の電力により駆動し、ガス漏れ等の異常状態を検出した場合に異常状態が発生している旨の警報を出力する定置式の警報器である。なお、本実施形態において電池式ガス警報器はガス漏れの他、ＣＯによる異常状態の検知機能を有するとする。
【００２２】
本実施形態に係る電池式ガス警報器１は、図２に示すガスセンサ１０、電池２０、ＣＰＵ３０、音声出力部（警報部）４０、及び液晶ディスプレイ５０等を備えるものであり、これらが樹脂ケース２に覆われた構造となっている。樹脂ケース２の正面側には、例えばガスセンサ１０を内部に備えた検出部３と、警報出力用の音声出力部４０を内部に備えた報知部４と、液晶ディスプレイ５０の表示面（後述の符号５０ａ参照）が外部に露出した表示部５と、警報時において警報を停止させる停止スイッチ６とが設けられている。
【００２３】
ガスセンサ１０は、周囲に検出対象となるガス（ＬＰガスや都市ガス）が存在する場合にその濃度に応じた信号を出力するものである。このガスセンサ１０は、半導体式、接触燃焼式等のセンサにより構成されている。また、ガスセンサ１０には、上記のセンサのほか、一酸化炭素濃度に応じた信号を出力するセンサ部も併設されている。
【００２４】
ＣＰＵ３０は、電池式ガス警報器１の全体を制御するものである。このＣＰＵ３０は、ガス漏れ判断部３１と、表示制御部（制御部）３２とを備えている。ガス漏れ判断部３１は、ガスセンサ１０からの信号に基づいて所定濃度以上のガスが検知されるとガス漏れと判断するものである。ガス漏れ判断部３１は、ガス漏れが発生していると判断すると、その旨の信号を音声出力部４０に送信する。
【００２５】
音声出力部４０は、スピーカやブザーにより構成され、ガス漏れ判断部３１によりガス漏れと判断された場合に、警報出力して異常状態を報知するものである。液晶ディスプレイ５０は、表示のために液晶組成物を利用する表示装置であって、電池状態を表示可能なものである。表示制御部３２は、液晶ディスプレイ５０及びＬＥＤ（図示せず）の表示を制御するものである。ここで、液晶ディスプレイ５０は、電池２０からの電圧により駆動される。すなわち、電池２０は液晶ディスプレイ５０の駆動用電源としても機能している。
【００２６】
図３は、図２に示した液晶ディスプレイ５０を示す一部破断拡大図である。図３に示すように、液晶ディスプレイ５０は、液晶背面に反射板５６を有して外部光により視認可能とさせる反射型タイプのものである。この液晶ディスプレイ５０は、使用者の視認側（表側）から第１偏光フィルター５１、第１ガラス基板５２、スペーサ５３、第２ガラス基板５４、第２偏光フィルター５５、及び反射板５６の順に積層されて構成されている。また、スペーサ５３は、第１透明電極５３ａ、第１配向膜５３ｂ、液晶層５３ｃ、第２配向膜５３ｄ、及び第２透明電極５３ｅの順に積層されて構成されている。
【００２７】
第１偏光フィルター５１は図３に示す第１方向に偏光した光だけに限って通過させるフィルターである。第２偏光フィルター５５は図３に示す第２方向に偏光した光だけに限って通過させるフィルターである。第１ガラス基板５２及び第２ガラス基板５４は、第１透明電極５３ａ及び第２透明電極５３ｅからの電流が外部に漏れないようにするために設けられたものである。
【００２８】
スペーサ５３は、２枚のガラス基板５２，５４との間に一定距離を確保するものである。第１透明電極５３ａ及び第２透明電極５３ｅは、液晶ディスプレイ５０を駆動するための電極であって、表示の妨げにならないように透明度の高い材料が用いられている。第１配向膜５３ｂ及び第２配向膜５３ｄは、液晶分子を一定方向に並べるための膜であって、第１配向膜５３ｂは第１方向に液晶分子を並べるように溝が形成され、第２配向膜５３ｄは第２方向に液晶分子を並べるように溝が形成されている。
【００２９】
液晶層５３ｃは、液晶分子により形成された層である。反射板５６は、液晶ディスプレイ５０の視認側から入射した光を反射するものである。この反射板５６により液晶ディスプレイ５０はバックライトを不要としている。
【００３０】
このような液晶ディスプレイ５０では、液晶分子が配向膜５３ｂ，５３ｄに沿って並んでいる。このため、光は液晶分子に沿って捩れることとなり、偏光フィルター５１，５５を通過することとなる。これにより、液晶ディスプレイ５０は白色に表示されることとなる。一方、透明電極５３ａ，５３ｅに電圧が印加されると、液晶分子が積層方向に並びを変えることとなる。このため、光は捩れることなく偏光フィルター５１，５５を通過しない。これにより、液晶ディスプレイ５０は黒色に表示されることとなる。特に液晶ディスプレイ５０は黒色部分を制御することにより、文字・マーク等の表示を行うことができる。
【００３１】
図４は、図１に示した液晶ディスプレイ５０の外観図であって、（ａ）は正面図を示し、（ｂ）は側面図を示している。図４（ａ）に示すように、液晶ディスプレイ５０は、正面に各種表示を行う表示部５０ａが形成されており、これが図１に示すように、樹脂ケース２から露出している。また、液晶ディスプレイ５０の下部には複数本の端子５０ｂが形成されている。端子５０ｂは図２に示した透明電極５３ａ，５３ｅに電気的に接続されており、電池式ガス警報器１は端子５０ｂを介して電圧を印加することで表示内容を制御する。
【００３２】
このような電池式ガス警報器１において、液晶ディスプレイ５０の反射板５６には、電池切れの旨を示す電池切れ表示が印刷されている。このため、電池電圧が低下したり電池２０が切れたりした場合には、電池切れ表示が視認可能となる。これにより、たとえ電池２０が切れたとしても、使用者には印刷が常時視認可能となり、電池切れの警報器１が使用され続けてしまう可能性を低減することとなる。
【００３３】
なお、印刷は反射板５６に形成されている場合に限らず、液晶層５３ｃと反射板５６との間に介在した介在部材５４，５５に電池切れ表示が印刷されていてもよい。これによっても、同様に電池切れの警報器１が使用され続けてしまう可能性を低減することができるからである。
【００３４】
次に、液晶ディスプレイ５０の表示例と共に表示制御部３２の動作を説明する。図５は、図２及び図３に示した液晶ディスプレイ５０の表示例を示す正面図であり、（ａ）は電池電圧が特定電圧未満のときの表示例を示し、（ｂ）は電池電圧が所定電圧以上のときの表示例を示している。
【００３５】
本実施形態においてＣＰＵ３０は、電池電圧を検出する機能を有しており、電池電圧が所定電圧（例えば２．６Ｖ）以上であるか、及び、所定電圧以下の特定電圧（例えば２．４Ｖ）未満であるかを判断するようになっている。なお、ＣＰＵ３０自体は、特定電圧よりも低い最低電圧（例えば２．０Ｖ）まで動作可能となっており、電池電圧が最低電圧を下回るまでは電池電圧を検出することができる。しかし、これに限らず、ＣＰＵ３０の外に電圧検出ＩＣを備える構成であってもよい。
【００３６】
まず、ＣＰＵ３０は、電池電圧を検出し、その電圧が特定電圧未満であると判断した場合、周辺回路を停止させる。この結果、表示制御部３２は液晶ディスプレイ５０の端子５０ｂに電圧を印加しないこととなる。これにより、図５（ａ）に示すように、反射板５６に印刷された電池切れ表示ＡＤが視認可能となる。
【００３７】
ここで、電池切れ表示ＡＤは、電池２０を示す電池マークＢＭの外郭内に、電池電圧の低下を示す低下マークＤＭを有するものとなっている。図５（ａ）において、低下マークＤＭは「×」マークとなっているが、これに限らず、他のマークであってもよいし文字であってもよい。
【００３８】
一方、検出した電池電圧が所定電圧以上である場合、表示制御部３２は、液晶ディスプレイ５０の一部に黒いベタ表示ＢＤをさせる。これにより、電池切れ表示ＡＤの少なくとも一部を隠す。この隠した状態において電池電圧が所定電圧以上であることを示す電池正常表示ＮＤとなっており、電池正常表示ＮＤが液晶ディスプレイ５０に表示されることとなる。
【００３９】
具体的に電池正常表示ＮＤは、黒いベタ表示ＢＤによって低下マークＤＭが隠されることで、電池電圧が所定電圧以上であることを示すものとなっている。このため、電池正常表示ＮＤと電池切れ表示ＡＤとは、共通する電池マークＢＭという形状部分を有し、低下マークＤＭに対する黒いベタ表示ＢＤの有無によって双方の表示を切り替えるものとなっている。
【００４０】
なお、上記において所定電圧が２．６Ｖであり、特定電圧が２．４Ｖである例を説明したが、これに限らず、所定電圧と特定電圧とは同じ値の電圧値であってもよい。
【００４１】
次に、本実施形態に係る電池式ガス警報器１の制御方法を説明する。図６は、本実施形態に係る電池式ガス警報器１の制御方法を示すフローチャートである。図６に示すように、まずＣＰＵ３０は、電池電圧を検出する（Ｓ１）。そして、ＣＰＵ３０は、ステップＳ１にて検出された電池電圧が所定電圧以上であるかを判断する（Ｓ２）。
【００４２】
所定電圧以上であると判断した場合（Ｓ２：ＹＥＳ）、表示制御部３２は、液晶ディスプレイ５０の一部に黒いベタ表示ＢＤを行って低下マークＤＭを隠し、電池正常表示ＮＤを行う（Ｓ３）。そして、図６に示す処理は終了する。
【００４３】
一方、所定電圧以上でないと判断した場合（Ｓ２：ＮＯ）、ＣＰＵ３０は、電池電圧が特定電圧未満であるかを判断する（Ｓ４）。特定電圧未満であると判断した場合（Ｓ４：ＹＥＳ）、表示制御部３２は、周辺回路（液晶ディスプレイ５０の駆動回路を含む）を停止させて黒いベタ表示ＢＤを行わないことにより、電池切れ表示ＡＤを行う（Ｓ５）。そして、図６に示す処理は終了する。
【００４４】
また、特定電圧未満でないと判断した場合（Ｓ４：ＮＯ）、すなわち、電池電圧が特定電圧以上所定電圧未満である場合、表示制御部３２は、黒いベタ表示ＢＤを間欠的に行って、電池正常表示ＮＤと電池切れ表示ＡＤとを交互に行う（Ｓ６）。そして、図６に示す処理は終了する。
【００４５】
なお、図６に示す処理は、電源投入時や前回処理実行時から特定時間（例えば２５時間）経過後など、所定のタイミングで実行される。また、図６に示す処理は、電池電圧が最低電圧を下回らない限り、繰り返し実行される。一方、電池電圧が最低電圧を下回った場合、液晶ディスプレイ５０が反射型タイプのものであることから、ステップＳ５の電池切れ表示ＡＤが常時表示される状態となる。
【００４６】
このようにして、本実施形態に係る電池式ガス警報器１によれば、液晶ディスプレイ５０の反射板５６又は介在部材５３，５４に電池切れである旨を示す電池切れ表示ＡＤが印刷されており、電池２０の電圧が所定電圧以下の特定電圧未満である場合、黒いベタ表示ＢＤを行うことなく電池切れ表示ＡＤを行う。このため、電池切れの場合には、黒いベタ表示ＢＤが行われることなく、電池切れ表示ＡＤが視認可能となる。これにより、たとえ電池２０が切れたとしても、使用者には印刷が常時視認可能となり、電池切れの警報器１が使用され続けてしまう可能性を低減することができる。
【００４７】
さらに、電池２０の電圧が所定電圧以上である場合に液晶ディスプレイ５０の一部に黒いベタ表示ＢＤをさせて電池切れ表示ＡＤの少なくとも一部を隠して電池正常表示ＮＤとする。よって、突然電池切れ表示ＡＤのみが表れた場合には、この表示の意味を理解できない可能性が高まるが、電池正常表示ＮＤについても行うため、電池切れ時等には今までの表示とは異なる表示がされることから、使用者は電池２０に関する異常を認識し易くなる。
【００４８】
従って、電池電圧の低下又は電池切れである旨を使用者に正確に伝えて、電池切れの警報器１が使用され続けてしまう可能性を低減することができる。
【００４９】
また、電池２０の電圧が特定電圧以上所定電圧未満である場合、黒いベタ表示ＢＤを間欠的に行って、電池正常表示ＮＤと電池切れ表示ＡＤとを交互に表示させるため、電池切れに近づいている状態を適切に表現することができる。
【００５０】
例えば、電池正常表示ＮＤのみや、電池切れ表示ＡＤのみを点滅させる場合、電池２０の液漏れや電池関係の回路異常など、単なる電池関係の他の異常状態であると誤認する可能性が高まる。しかし、電池正常表示ＮＤと電池切れ表示ＡＤとを交互に表示させることで、電池電圧が足りている状態と電池切れ状態との中間状態を表現することとなり、電池切れに近づいている状態という電圧低下状態を適切に表現することができる。
【００５１】
また、電池切れ表示ＡＤは、電池２０を示す電池マークＢＭの外郭内に電池電圧の低下を示す低下マークＤＭを有し、電池正常表示ＮＤは、黒いベタ表示ＢＤにより低下マークＤＭが隠されることで電池２０の電圧が所定電圧以上であることを示す。このため、電池切れ表示ＡＤと電池正常表示ＮＤとは、共通する形状部分を有した表示となり、低下マークＤＭに対する黒いベタ表示ＢＤの有無によって、双方の表示を切り替えることができる。
【００５２】
以上、実施形態に基づき本発明を説明したが、本発明は上記実施形態に限られるものではなく、本発明の趣旨を逸脱しない範囲で、変更を加えてもよいし、可能な範囲で適宜他の技術を組み合わせてもよい。
【００５３】
例えば、上記実施形態においてＣＰＵ３０は、無負荷による電池電圧の検出を行っているが、これに限らず、ダミー抵抗を接続して電池電圧の検出を行ってもよいし、スピーカ等の周辺回路を動作させて電池電圧の検出を行うようにしてもよい。
【００５４】
また、電池式ガス警報器１は図１に示すように正面側の右下に液晶ディスプレイ５０が設けられているが、これに限らず、他の箇所に設けられてもよい。但し、都市ガス用の電池式ガス警報器１は天井付近に設けられる関係上、液晶ディスプレイ５０は樹脂ケース２の下側に設けられることが好ましい。また、ＬＰガス用の電池式ガス警報器１は床面近くに設けられる関係上、液晶ディスプレイ５０は樹脂ケース２の上側に設けられることが好ましい。
【００５５】
また、電池切れ表示ＡＤ（特に低下マークＤＭ）は反射板５６等に黒色及び白色以外の色によって印刷されていることが好ましい。これにより、電池切れ表示ＡＤの強調度合いが増すからである。
【符号の説明】
【００５６】
１                ：電池式ガス警報器
２                ：樹脂ケース
３                ：検出部
４                ：報知部
５                ：表示部
６                ：停止スイッチ
１０              ：ガスセンサ
２０              ：電池
３０              ：ＣＰＵ
３１              ：ガス漏れ判断部
３２              ：表示制御部（制御部）
４０              ：音声出力部（警報部）
５０              ：液晶ディスプレイ
５０ａ            ：表示部
５４，５５        ：介在部材
５６              ：反射板
ＡＤ              ：電池切れ表示
ＢＤ              ：黒いベタ表示
ＢＭ              ：電池マーク
ＤＭ              ：低下マーク
ＮＤ              ：電池正常表示
【図１】
0006630101.tif 000002
【図２】
0006630101.tif 000003
【図３】
0006630101.tif 000004
【図４】
0006630101.tif 000005
【図５】
0006630101.tif 000006
【図６】
0006630101.tif 000007